(57)【要約】【課題】屋上や屋根の傾斜に、メンテナンス負荷の小さいコケを繁殖させた緑化傾斜面の提供。【構成】傾斜部と該傾斜部の上部に設置されるマットとを備えた緑化傾斜面であって、前記マットの少なくとも上表面にコケが繁殖していることを特徴とする緑化傾斜面。【選択図】  図１
2004337059.tif 000002
【特許請求の範囲】
【請求項１】
傾斜部と該傾斜部の上部に設置されるマットとを備えた緑化傾斜面であって、前記マットの少なくとも上表面にコケが繁殖していることを特徴とする緑化傾斜面。
【請求項２】
前記マットが繊維マットであることを特徴とする請求項１記載の緑化傾斜面。
【請求項３】
前記マットが固定用ネットで覆われていることを特徴とする請求項１又は２記載の緑化傾斜面。
【請求項４】
前記傾斜部に、傾斜方向に対し直角方向の堰を備えたことを特徴とする請求項１乃至３いずれかの項記職の緑化傾斜面。
【請求項５】
前記傾斜部が、建築物の屋上又は屋根であることを特徴とする請求項１乃至４いずれか一項記載の緑化傾斜面。
【発明の詳細な説明】
【０００１】
【発明の属する技術分野】
本発明は、都市部のヒートアイランド現象を防止する屋上緑化に係り、特に、屋上や屋根の傾斜にコケを繁殖させることが可能で、メンテナンス負荷の小さな緑化傾斜面に関するする。
【０００２】
【従来の技術】
屋上緑化は、建築物の温度上昇を抑えて冷房時の省エネルギー効果が望め、ヒートアイランド現象防止の観点から自治体もこれを積極的に進めている。
このような屋上緑化の方法として、屋上に庭園を造り、植物を植える方法が一般に知られている。ところで、このような屋上緑化のニーズは、先に述べた理由から屋上の平面部のみならず、屋根や屋上の傾斜面にも多く存在する。例えば、特許文献１は、傾斜した屋根の上にハニカム状の仕切を設け、この仕切枠で区切られた各区画内に収容した土に背丈の低い多年草を植える技術を開示している（図４参照）。
しかし、この技術は、傾斜した屋根の上方に散水手段を設ける必要がある上に、かなりの重量物を屋根に載せる必要がある。
そもそも、屋根・屋上の傾斜部は、人間が作業し難いことから、植物への給水負荷が極力少ない緑化方法が求められる上に、屋根の重量制限の観点から緑化設備は軽量なものが望ましい。
更に、上記特許文献１が問題点として指摘しているように傾斜した屋根の上部に、土を敷設して植物を繁殖させようとすると、降雨で土が流れ出すという問題がある。
【特許文献１】
特開平７−２１３１５９号公報
【０００３】
【発明が解決しようとする課題】
本発明は、上記した従来技術の欠点を除くためになされたものであって、その目的とするところは、屋上や屋根の傾斜郡に、緑化物への給水負荷が極力少なくメンテナンスが楽な屋上緑化手段を提供することである。特に、傾斜した屋根・屋上にコケを繁殖させた屋上緑化手投を提供することである。
他の目的は、屋上・屋根の許容重量の制限を受けないような軽量な屋上緑化方法を提供することである。
更に他の目的は、降雨で土が流れ出すことのない屋上緑化手段を提供することである。
更に他の目的は、傾斜部に設置したコケ繁殖用のマットにつき、これが風でとばされないようにすることである。
更に他の目的は、傾斜部に設置したマットへの降雨を利用した給水効率を高めるため、補助的な降雨蓄積機構を設けることである。
【０００４】
【問題を解決するための手段】
本発明の要旨は、傾斜部と該傾斜部の上部に設置されるマットとを備えた緑化傾斜面であって、前記マットの少なくとも上表面にコケが繁殖していることを特徴とする緑化傾斜面である。
即ち本発明においてはマット表面に生育するコケをもって屋上緑化するので、緑化設備は軽量であり、特に、コケは従来使用されている植物に比して灌水や施肥などのメンテナンスが少なくて繁殖させるという利点を有する。
【０００５】
【発明の実施の形態】
本発明について詳細に説明する。
本発明は、上記のように構成されており、傾斜部の上部に設置されたマットにコケを繁殖させる。マットはコケの培地として傾斜部に固定できる。つまり、冒頭で述べたように、発明者が、傾斜した屋根や屋上の上部に、土を含めた保水層を設置してコケを繁殖させようと試みたところ、降雨で保水層に含まれていた土が流れ出すなどの問題点が生じていた。これに対し、本発明はマットにコケを繁殖させるので、このような土の流出がない。
そして、マットは保水性を有するので、コケの繁殖に必要な雨水を蓄えることができる。また、マットは空隙を有するので水分の他に空気を含むことができ、コケの繁殖に好適である。
本発明で使用できるマットは、コケが繁殖できるように保水性や空間を有する材質であればよく、例えば、マットは不織布を使用することができる。特に、繊維マットが好適である。繊維マットとは、繊維が絡み合ったマット状のものである。繊維マットは軽量であることから、屋上・屋根の許容重量の制限を受ない。繊維マットは、保水性、空隙の観点から、特に、平均径２０μｍ以下、好ましくは１０μｍ以下の繊維が絡み分ったものが好ましい。空隙率６５％以上、好ましくは８０％以上のマットは十分な水分と適度な空気を共存することができる。さらに、無機繊維からできている繊維マットは、養分の吸着や溶出が少なく、長期にわたって安定しており、水の拡散も良好である。
【０００６】
また、市販されている鉱物繊維マットを使用することができる。これは、高炉スラグと天然石の玄武岩を原料として、高温（１５００度）で溶けたものを遠心力で吹き飛ばして作る無機繊維質である。
鉱物繊維マットの製造方法としては、例えば特開昭６１−２３４７２３号公報や特開昭６１−２６８１１４号公報に記載されている。即ち、「鉱物繊維マットは、岩石、鉱滓などの鉱物無機原料を溶融し、これを遠心力や噴気を利用して吹き飛ばして繊維化し、噴霧接着剤（主としてフェノール樹脂等の熱硬化性樹脂接着剤が用いられる。）とともにネットコンベア上に堆積積層集綿し、熱処理して接着剤を乾燥硬化することによって製造されるものであり、したがって、マットを構成する繊維は部分的に接着されて保形される。この鉱物繊維マット３０〜２００ｋｇ／ｍ３の密度のものが生産されている。」と記載されているが、本発明ではこのような方法で生産された鉱物繊維マットを使用することができる。
また、マット２の他の一例として、ガラス繊維マットを使用することができる。ガラス繊維マットとは、ガラス繊維をマット状に成形したものであり、例えば、特開昭６０−１９４１８号公報に記載されている。マット２の厚みは、特に限定するものではないが、遮熱の観点から、厚み２５ｍｍ〜５０ｍｍが好ましい。
【０００７】
コケは、少なくとも、マットの上表面に繁殖している。コケの繁殖は、草木のような植栽ではなく、吹き付け方法で行うことができる。即ち、コケは、吹き付け作業による繁殖が可能であり、草木のような手作業による植栽が不要である。従って、傾斜した屋根のようなところでも、軽作業で  コケを繁殖させることができる。コケの種類はメンテナンスの観点から、特にスナゴケが好ましい。
マット上に繁殖させるコケは軽量であるため、屋根の許容荷重の制限を受けない。更にコケは乾燥に強い。コケは乾燥すると葉を閉じて筆状になり、水分を含むと葉か広がって緑になるという、水分状態に応じて植物の形を変えることができる。従って、マットに吸水された雨水の自然状態に任せておけばよく、さらに、コケは生育して胞子を出すと自然状態での発芽及び育成が繰り返される。その結果、人間の作業困難な屋根傾斜部において、給水や施肥の手間がかからず、メンテナンス負荷が小さい。
なお、繊維マットがばらつくときには、寒冷紗を用いて、寒冷紗の上に繊維マットを形成することも効果的である。
【０００８】
マットは風でとばされないように固定用ネットで覆い、傾斜部に直接またはマットを通して固定されているようにすることが好ましい。固定用ネットとしては、例えば、金網やナイロン製の網を使用することができる。固定用ネットは、マットを網目状で覆うため  、マットの通気、通水、透光に優れ、コケの繁殖を阻害しない。
マットの脱落、ずれを防止し、傾斜部上に保持するために堰を設けることが好ましい。堰は、傾斜部の傾斜方向に対し直角方向に構成され、マットの下端面を支持する。その結果、堰の傾斜部に対する垂直方向の高さは、１０ｍｍ〜２５ｍｍが好ましい。この堰は、雨水を溜め、さらにマットに雨水を浸透させるという作用をするが、同時に余分な雨水は流れるように、雨水の流路を設けておくことが好ましい。
本発明にかかる傾斜部としては、特に限定はないが、民家の屋根・ビルの屋上等の傾斜している部分に該当する。耐食性及びヒートアイランド現象防止という観点からステンレス製の屋根や屋上が好ましい。
【０００９】
以下、本発明を図面に基づいて説明する。
図１は本発明にかかる傾斜部の側面図であり、図２はその正面図である。図３は本発明で使用するマットの断面図である。これらの図において、本発明に係る緑化傾斜面は、傾斜部１と、マット２と、固定用ネット３と、堰４と、コケ５とを備えている。また、繊維マットがばらつくときには、寒冷紗７の上に繊維マットを設ける。図中、６は金網止めクリップ、８はマット・金網止めピン及び９は雨水一時溜め金具を表す。
【００１０】
【実施例】
実施例１
図１に示すような傾斜部を有する屋根の模擬装置を作成し、６ケ月間コケの繁殖試験を行った。傾斜部は、ステンレス製の屋根（１０ｍ２）を作成した。
マットとして鉱物繊維マットである「日東紡績株式会社製・植物栽培用人工培地・栽培用ロックファイバー」を厚み２５ｍｍ使用した。一つのマットの大きさは、４４５ｍｍ×１８２ｍｍ（面積は０．８ｍ２）である。模擬装置では、このマットを９つ設置した。
固定用ネット：ステンレス亀甲金網は格子間隔１６ｍｍ太さ０．６ｍｍの金網でマットを覆うようにかぶせ、金網を傾斜部に固定した。この結果、マットが  傾斜部に固定された。
堰：傾斜部の直角方向に高さ１０ｍｍのステンレス製の堰を作った。マットは、この堰に支持されるように設置した。
コケ：スナゴケという種類のコケを水中に混ぜ、吹き付け方法によりマット２に吹き付けした。２０ｇ／ｍ２のスナゴケを用いた。
上記直後に、マットにホースで水を十分散布した。マット  に吸水保持されなかった水はいったん堰に溜められた。そして、再度  マットに吸水保持された。更に余分となった水は流路９を通じて傾斜下方に流れていった。この場合において、ゴミなどが流れて特段問題となることはなかった。また、マットの重量は水を含んだ状態でも３０ｋｇ／ｍ２の重量であり、家庭用の屋根にも十分設置できる重量であった。
６月後、マット２における繁殖の様子を観察した。マットの上表面一面にコケの繁殖を確認することができた。また、マットは、固定用ネットで傾斜部に固定され風でとばされることはなかった。
【００１１】
【発明の効果】
本発明は、上記のように、屋上や屋根の傾斜部に、屋上・屋根の許容重量の制限を受けずに、降雨で土が流れ出すことがなく、施工・メンテナンスが楽な屋上緑化手段を提供することができる、という効果がある。
【図面の簡単な説明】
【図１】本発明にかかる緑化斜面の側面図である。
【図２】本発明にかかる緑化斜面の正面図である。
【図３】本発明で使用するマットの断面図である。
【図４】従来の技術を示す。
【符号の説明】
１  傾斜部      ２  マット      ３  固定用ネット
５コケ      ６  金網止めクリップ      ７寒冷紗
８  マット・金網止めピン      ９  雨水一時溜め金具
【図１】
2004337059.tif 000003
【図２】
2004337059.tif 000004
【図３】
2004337059.tif 000005
【図４】
2004337059.tif 000006